(57)【要約】【課題】  清掃具において、掻き上げ体が掻き上げたゴミを容易にゴミ収容部に取り込み、取り込んだゴミは外方にこぼさずに捕捉すること。【解決手段】  掻き上げ体６０が前進時に掻き上げるゴミを受けるゴミ受け２３をフレーム１５に支持してなる清掃具１０であって、ゴミ受け２３のすくい面部２３Ｂとゴミ収容部２３Ｃとの間に、前進時には伏せ、後退時には起きるフラップ６０を設けたもの。【選択図】  図１
2005040447.tif 000002
【特許請求の範囲】
【請求項１】
清掃面上を転動してゴミを掻き上げる掻き上げ体をフレームに支持するとともに、
掻き上げ体に対する清掃進み方向の後部で、清掃面上を摺接するように配置され、掻き上げ体が前進時に掻き上げるゴミを受けるゴミ受けをフレームに支持してなる清掃具であって、
ゴミ受けが、清掃面上から斜めに立上って掻き上げ体に相対するすくい面部と、すくい面部の後方に配置される凹状のゴミ収容部とを有し、
ゴミ受けのすくい面部とゴミ収容部との間に、前進時より後退時にゴミ収容部の底面との角度が広角となるフラップを設けた清掃具。
【請求項２】
前記フラップがゴミ受けのすくい面部に後続する揺動板からなり、前進時にはすくい面部の斜面に連続する緩傾斜をなし、後退時にはゴミ収容部の前面に立てる急傾斜をなす請求項１に記載の清掃具。
【請求項３】
前記フラップが前後進の慣性力により起伏する請求項１又は２に記載の清掃具。
【発明の詳細な説明】
【技術分野】
【０００１】
本発明は、畳、フローリング、カーペット等の清掃面の清掃に用いて好適な清掃具に関する。
【背景技術】
【０００２】
特許文献１では、清掃具として、床面上を転動してゴミを掻き上げる掻き上げ体をフレームに支持するとともに、掻き上げ体に対する清掃進み方向の後部で、床面上を摺接するように配置され、掻き上げ体が前進時に掻き上げるゴミを受けるゴミ受けをフレームに支持してなるものを開示している。
【０００３】
特許文献１のゴミ受けは、床面上から斜めに立上って掻き上げ体に相対するすくい面部と、すくい面部の後方に配置される凹状のゴミ収容部とを有している。清掃具の前進時に、掻き上げ体が掻き上げたゴミは、ゴミ受けのすくい面部にガイドされ、すくい面部の上端部から垂れ壁により区画されるゴミ収容部に落下して取り込まれる。
【特許文献１】特開2003-111704（3頁、図１）
【発明の開示】
【発明が解決しようとする課題】
【０００４】
特許文献１の清掃具では、前進と後退をくり返し、前進過程で上述の如くにゴミをゴミ受けのゴミ収容部に取り込む。ところが、清掃具を前進後にいきなり後退すると、ゴミ収容部に取り込んであったゴミが前進時に付与された慣性によってゴミ収容部から前方に飛び出し、垂れ壁を乗り越えて外方にこぼれ落ちる。
【０００５】
尚、上述のゴミのこぼれ落ちを回避するために、ゴミ収容部を区画する垂れ壁の高さを大きくする場合には、掻き上げ体が掻き上げたゴミをゴミ収容部に向けてガイドするすくい面部の上端レベルが高過ぎるものになる。この場合には、ゴミがすくい面部の途中に止まってその上端部を越えられず、ゴミ収容部に取り込みできないおそれがある。
【０００６】
本発明の課題は、清掃具において、掻き上げ体が掻き上げたゴミを容易にゴミ収容部に取り込み、取り込んだゴミは外方にこぼさずに捕捉することにある。
【課題を解決するための手段】
【０００７】
請求項１の発明は、清掃面上を転動してゴミを掻き上げる掻き上げ体をフレームに支持するとともに、掻き上げ体に対する清掃進み方向の後部で、清掃面上を摺接するように配置され、掻き上げ体が前進時に掻き上げるゴミを受けるゴミ受けをフレームに支持してなる清掃具であって、ゴミ受けが、清掃面上から斜めに立上って掻き上げ体に相対するすくい面部と、すくい面部の後方に配置される凹状のゴミ収容部とを有し、ゴミ受けのすくい面部とゴミ収容部との間に、前進時より後退時にゴミ収容部の底面との角度が広角となるフラップを設けたものである。
【実施例】
【０００８】
（第１実施例）（図１〜図５）
清掃具１０は、図１〜図５に示す如く、柄１１の先端部に継手部１２を介して支持アーム１３を結合し、支持アーム１３の両側アーム部１３Ａに支軸部１４（不図示）を介してフレーム１５を前後方向に揺動自在に支持している。
【０００９】
フレーム１５の前部には可撓掻き上げ体１６が回転軸１７を介して回動自在に支持され、フレーム１５の後部には回転体１８が回転軸１９を介して回動自在に支持され、掻き上げ体１６と回転体１８は平行に並べられて配置される。
【００１０】
掻き上げ体１６は、支軸１６Ａと、支軸１６Ａの周囲に、軸方向の全長に渡ってブラシが植設されたブラシ車からなる掻き上げ部１６Ｂと、支軸１６Ａの両端部に結合された両側のタイヤ部１６Ｃからなり、タイヤ部１６Ｃに前述の回転軸１７を備える。掻き上げ部１６Ｂは粘着ロール２１に接触しても、接触しなくても良い。両側のタイヤ部１６Ｃはフレーム１５の両外側に配置される。掻き上げ体１６は、タイヤ部１６Ｃを床面上で転動させることにより、支軸１６Ａとともに回転する掻き上げ部１６Ｂにより床面上のゴミを掻き上げる。
【００１１】
回転体１８は、支軸１８Ａと、支軸１８Ａの軸方向の両端側２位置（軸方向３位置等の複数位置でも可）に設けられる円盤状の回転子１８Ｂと、支軸１８Ａの両端部に固定された両側のタイヤ部１８Ｃからなり、タイヤ部１８Ｃは前述の回転軸１９を備える。回転子１８Ｂは粘着ロール２１に接触する。両側のタイヤ部１８Ｃはフレーム１５の両外側に配置され、床面上を転動する。尚、回転体１８の回転子１８Ｂは、シリコンゴム製Ｏリング等の環状リング１８Ｄを外周に備える。環状リング１８Ｄは回転子１８Ｂに設けた環状溝に装填される。
【００１２】
清掃具１０は、掻き上げ体１６の掻き上げ部１６Ｂが掻き上げたゴミを捕捉するゴミ捕捉手段２０を、粘着ロール２１とゴミ受け２３により構成する。
【００１３】
即ち、掻き上げ体１６と回転体１８の回転子１８Ｂ（環状リング１８Ｄ）の上には、それらに跨がる粘着ロール２１が乗せられ、粘着ロール２１は掻き上げ体１６と回転体１８の回転に連れ回る。フレーム１５の上部は粘着ロール２１の出し入れ口とされ、取外し可能な透明カバー１５Ａにより被覆される。粘着ロール２１は、粘着シートの巻取りロールの構成、又は表面が粘着性のエラストマーからなり、その表面を洗浄して再使用可能とする構成等を含む。本実施例の粘着ロール２１は、粘着シート２１Ａをコア２１Ｂに巻き回し、粘着シート２１Ａの粘着面を外側に向けて巻出し可能かつ切断可能にした巻取りロールにて構成される。
【００１４】
フレーム１５における掻き上げ体１６に対する清掃進み方向の後部にはゴミ受け２３が支持されている。ゴミ受け２３は、床面に接する底面部２３Ａと、底面部２３Ａの前縁から床面上に斜めに立上り、掻き上げ体１６の掻き上げ部１６Ｂに隙間なく接して（又は隙間を介して）相対する曲面状（又は平面状）のすくい面部２３Ｂと、すくい面部２３Ｂの後方に配置され、回転体１８の回転子１８Ｂの下方の前後に渡る範囲に延在される凹状のゴミ収容部２３Ｃを有する。
【００１５】
ゴミ受け２３は、掻き上げ体１６の清掃進み方向の後部で、フレーム１５に後述する如くに上下に揺動可能に支持され、自重により底面部２３Ａとすくい面部２３Ｂの最下端部を床面上に隙間なく摺接するように配置され、掻き上げ体１６の掻き上げ部１６Ｂが前進時に掻き上げるゴミを床面に沿う後方に逃がすことなく、その全てのゴミをすくい面部２３Ｂにより粘着ロール２１の側にガイドし、大きなゴミはすくい面部２３Ｂに後続するゴミ収容部２３Ｃに送り込む。
【００１６】
清掃具１０では、ゴミ受け２３をフレーム１５に対し、掻き上げ体１６とは独立に上下動可能に支持した。具体的には、ゴミ受け２３を、フレーム１５との間に設けられる、掻き上げ体１６から清掃進み方向において遠い側（ゴミ受け２３の後端部の側）の後方支持部４０と、近い側（ゴミ受け２３の前端部の側）の前方支持部５０のそれぞれに支持する。後方支持部４０において、ゴミ受け２３の後方両側壁に設けた後方支持孔４１を、フレーム１５の両側壁に設けた後方ピン４２に支持する。前方支持部５０において、ゴミ受け２３の前方両側壁に設けた前方ピン５１を、フレーム１５の両側壁に設けた長孔の前方支持孔５２にスライド可能に支持する。
【００１７】
尚、清掃具１０では、ゴミ受け２３の後方支持部４０の後方支持孔４１をフレーム１５の後方ピン４２から係脱可能にしており、支持孔４１をピン４２から外した状態で、ゴミ受け２３を前方支持部５０まわりに回動することにより、ゴミ受け２３のゴミ収容部２３Ｃをフレーム１５の外方に開放可能とする。
【００１８】
しかるに、清掃具１０にあっては、ゴミ受け２３のすくい面部２３Ｂとゴミ収容部２３Ｃとの間に、前進時より後退時にゴミ収容部２３Ｃの底面との角度θ（図３）が広角となり、前進時には伏せ、後退時には起きるフラップ６０を設けた。フラップ６０は、図３、図４に示す如く、ゴミ受け２３のすくい面部２３Ｂに後続する揺動板６１からなり、揺動板６１の清掃進み方向に交差する幅方向の両端面で、該揺動板６１の基端部に設けた支軸６１Ａをゴミ受け２３の両側壁部２３Ｄの支持孔に枢支する。
【００１９】
ゴミ受け２３は、フラップ６０の下部に、ゴミ収容部２３Ｃの底面における清掃進み方向に交差する幅方向の複数位置のそれぞれに立設したリブ状支え２３Ｅを有しており、各リブ２３Ｅの上面はすくい面部２３Ｂの斜面に対し略平行をなすように斜め上方に延在される狭幅状をなし、伏せ状態のフラップ６０をリブ２３Ｅの上面に支持可能にする。ゴミ受け２３は、フラップ６０の前方に、両側壁部２３Ｄの内側に突出するストッパ２３Ｆを有し、起き上がり状態のフラップ６０をこのストッパ２３Ｆに係止可能にする。
【００２０】
即ち、フラップ６０は、前進時には、図３の実線に示す如く、自重により伏し、支え２３Ｅの上面に支持され、対フラップ６０の上面をすくい面部２３Ｂの斜面に連続する緩傾斜をなす。また、フラップ６０は、後退時には、図３の２点鎖線に示す如く、前進時に付与されていた慣性力によってストッパ２３Ｆに衝合する位置まで揺動し、ゴミ収容部２３Ｃの前面に高く立上る急傾斜をなす。
【００２１】
フラップ６０の先端部は、本実施例では、後退時にも掻き上げ体１６の掻き上げ部１６Ｂから離隔している。但し、フラップ６０の先端部は、後退時に、起き上がった状態で掻き上げ部１６Ｂに接するものとし、掻き上げ部１６Ｂにからみついた髪の毛等をかき取り除去するものとしても良い。
【００２２】
清掃具１０による清掃動作は以下の如くなされる。
(1)柄１１の軸方向に加える操作力により清掃具１０をくり返し前後進させ、掻き上げ体１６及び回転体１８を床面上にて転動させるとともに、ゴミ受け２３を床面上に摺接させ、同時に粘着ロール２１を掻き上げ体１６、回転体１８の回転に連れ回りさせる。
【００２３】
(2)清掃具１０の前進時には、フラップ６０がゴミ受け２３の支え２３Ｅに支持されて緩傾斜をなす位置に伏す。掻き上げ体１６の掻き上げ部１６Ｂが床面上のゴミを掻き上げると、このゴミはゴミ受け２３のすくい面部２３Ｂとフラップ６０にガイドされて粘着ロール２１の側に送り出され、粘着ロール２１の粘着面に吸着捕捉される。大きなゴミはゴミ収容部２３Ｃに送り込まれる。
【００２４】
(3)清掃具１０を前進後にいきなり後退すると、フラップ６０が前進時に付与されていた慣性力によりゴミ受け２３のストッパ２３Ｆに衝合する位置まで起き上がり、急傾斜をなして高く立上る。ゴミ収容部２３Ｃに取り込まれていたゴミも、前進時に付与されていた慣性力により前方に移動するが、図５（Ａ）に示す如く、高く立上るフラップ６０により外方への飛び出しを阻止される。ゴミは前方に移動してフラップ６０の下方で相隣る支え２３Ｅの間に入るが、支え２３Ｅの上面は狭幅をなしており、支え２３Ｅの上面に乗ることがなく、続く再前進時に再び伏すフラップ６０の下面と支え２３Ｅの上面との間にゴミを挟み込むおそれを回避する。
【００２５】
(4)清掃具１０の再前進時には、図５（Ｂ）に示す如く、ゴミ収容部２３Ｃ内で相隣る支え２３Ｅの間に入り込んでいた上述(3)のゴミは、後退時に付与されていた慣性力により後方に戻る。同時に、フラップ６０も後退時に付与されていた慣性力により再び伏して支え２３Ｅに支持される。
【００２６】
尚、清掃具１０において、ゴミ受け２３のゴミ収容部２３Ｃにおける相隣る支え２３Ｅの間の底面を、図３に２点鎖線で示す如く、後方に向けて下り勾配をなすものとする場合には、相隣る支え２３Ｅの間に入り込んだゴミの上述の後方への戻りを促進できる。
【００２７】
(5)透明カバー１５Ａを通して粘着ロール２１の粘着面の全周に多量のゴミが捕捉されたことが視認されたら、カバー１５Ａを開いて粘着シート２１Ａの１周分を剥離切断除去し、新規粘着面を露出せしめた後、カバー１５Ａを閉じる。ゴミ受け２３のゴミ収容部２３Ｃに捕捉されたゴミは、ゴミ受け２３を前方支持部５０まわりに回動し、ゴミ収容部２３Ｃをフレーム１５の外方に開放することにて排出される。
【００２８】
本実施例によれば以下の作用効果を奏する。
(1)清掃具１０は、前進と後退をくり返し、前進過程で掻き上げ体１６が掻き上げたゴミを、ゴミ受け２３のすくい面部２３Ｂによりガイドし、ゴミ収容部２３Ｃに順次取り込む。
【００２９】
清掃具１０の前進時には、フラップ６０が伏し、ゴミ収容部２３Ｃの前面に高く立上ることがないから、ゴミ受け２３のすくい面部２３Ｂにガイドされるゴミは、フラップ６０に邪魔されることなく、フラップ６０を超えてゴミ収容部２３Ｃに落下する。
【００３０】
清掃具１０を前進後にいきなり後退すると、ゴミ収容部２３Ｃに取り込んであったゴミが前進時に付与されていた慣性力によって前方に移動する。この後退時には、フラップ６０がゴミ収容部２３Ｃの前面に起きており、このフラップ６０がゴミ収容部２３Ｃから前方へのゴミの飛び出しを阻止し、ゴミの外方へのこぼれ落ちを防止する。
【００３１】
清掃具１０の再前進時には、ゴミが後退時に付与されていた慣性によって後方に戻り、フラップ６０も再び伏せる。
【００３２】
(2)フラップ６０が揺動板６１からなり、前進時には、フラップ６０がゴミ受け２３のすくい面部２３Ｂの斜面に連続する緩傾斜をなし、ゴミ収容部２３Ｃの前面に高く立上ることがないから、ゴミはすくい面部２３Ｂとフラップ６０によりスムースにゴミ収容部２３Ｃの側にガイドされる。後退時には、フラップ６０がゴミ受け２３のゴミ収容部２３Ｃの前面に急傾斜をなして高く立上り、ゴミ収容部２３Ｃから前方へ飛出そうとするゴミに対する高い障壁になり、ゴミの飛出しを確実に阻止する。
【００３３】
(3)フラップ６０の起伏を前後進の慣性力を利用して行なうことにより、フラップ６０の起伏機構の簡易を図ることができる。
【００３４】
（第２実施例）（図６、図７）
図６、図７の第２実施例の清掃具１０が、第１実施例と異なる点は、フラップ６０の支え２３Ｅを、ゴミ収容部２３Ｃの底面における清掃進み方向に交差する幅方向に連続する連続壁体状にしたことにある。清掃具１０の後退時に、前方に移動するゴミは支え２３Ｅの連続壁面に当たり、フラップ６０の下方に入り込むことがない。
【００３５】
本発明の実施において、フラップ６０の揺動中心（支軸６１Ａ）は、フラップ６０の基端部に限らず、フラップ６０の基端部と先端部の間の中間部に設けても良い。フラップ６０のための支え２３Ｅは、ゴミ受け２３の底面上に設けるものに限らない。フラップ６０のためのストッパ２３Ｆは、支軸６１Ａの周辺に設けるものでも良い。
【００３６】
また、フラップ６０は揺動起伏型でなく、直線動起伏型であっても良い。
また、フラップ６０の起伏の駆動源は、慣性力によることなく、ゴミ受け２３の両側壁部２３Ｄに設けられて床面上を転動するタイヤ（又は掻き上げ体１６のタイヤ部１６Ｃ、回転体１８のタイヤ部１８Ｃでも可）の回転力を用いるものでも良い。
【図面の簡単な説明】
【００３７】
【図１】図１は第１実施例の清掃具を示す模式側面図である。
【図２】図２は清掃具を示す模式平面図である。
【図３】図３はゴミ受けに設けたフラップを示す断面図である。
【図４】図４は図３のIV−IVに沿う矢視図である。
【図５】図５はフラップの起伏状態を示す断面図である。
【図６】図６は第２実施例のフラップを示す断面図である。
【図７】図７は図６のVII−VIIに沿う矢視図である。
【符号の説明】
【００３８】
１０  清掃具
１５  フレーム
１６  掻き上げ体
２３  ゴミ受け
２３Ｂ  すくい面部
２３Ｃ  ゴミ収容部
６０フラップ
６１  揺動板
【図１】
2005040447.tif 000003
【図２】
2005040447.tif 000004
【図３】
2005040447.tif 000005
【図４】
2005040447.tif 000006
【図５】
2005040447.tif 000007
【図６】
2005040447.tif 000008
【図７】
2005040447.tif 000009